(57)【要約】【課題】簡単な機械的構成によって、テーブル部の姿勢を変更する際の作業性を向上させることができ、その耐久性も向上させることができる折畳みテーブルを提供すること。【解決手段】折畳みテーブル１は、テーブル部２を使用時のテーブル姿勢２０１と収納時の収納姿勢２０２と両者の中間の仮置き姿勢２０３とに変更可能である。経路形成接触面４０には、テーブル姿勢２０１の形成時に回転ピン５１が配置されるテーブル姿勢形成溝４０１と、収納姿勢２０２の形成時に回転ピン５１が配置される収納姿勢形成溝４０２と、仮置き姿勢２０３の形成時に回転ピン５１が配置される仮置き姿勢形成溝４０３とが形成してある。テーブル部２は、回転ピン５１を経路形成接触面４０に対して転がり接触させることによって、テーブル姿勢２０１、収納姿勢２０２及び仮置き姿勢２０３の各姿勢に変更することができる。【選択図】図４
2009148367.tif 000002
【特許請求の範囲】
【請求項１】
テーブル部と該テーブル部を支える脚部とを有し、上記テーブル部が、使用時の水平な姿勢であるテーブル姿勢と、収納時の起立する姿勢に折り畳んだ収納姿勢とに変更可能である折畳みテーブルにおいて、
上記脚部は、上記テーブル部と連結する部分に連結部材を有しており、
上記テーブル部は、上記連結部材に設けた回動支点部を中心に回動して、上記テーブル姿勢及び上記収納姿勢に変更可能であると共に、該テーブル姿勢と該収納姿勢との中間の姿勢である仮置き姿勢に保持可能であり、
上記テーブル部には、上記連結部材に係合するストッパー部材が回動可能に設けてあり、該ストッパー部材には、自ら回転して上記連結部材に対して転がり接触可能な回転ピンと、上記テーブル部に当接して上記回転ピンが上記連結部材に対して接触する方向に当該ストッパー部材を付勢する付勢部材と、手動操作可能な操作レバーとが設けてあり、
上記連結部材には、上記テーブル部の姿勢を変更する際に、上記回転ピンを転がり接触させながら移動させることが可能な経路形成接触面が形成してあり、
該経路形成接触面には、上記テーブル部が上記テーブル姿勢を形成する際に上記回転ピンが配置されるテーブル姿勢形成溝と、該テーブル姿勢形成溝の形成位置よりも上側に位置し、上記テーブル部が上記収納姿勢を形成する際に上記回転ピンが配置される収納姿勢形成溝と、該収納姿勢形成溝の形成位置と上記テーブル姿勢形成溝の形成位置との間に位置し、上記テーブル部が上記仮置き姿勢を形成する際に上記回転ピンが配置される仮置き姿勢形成溝とが切欠状に形成してあり、
上記テーブル部は、上記回転ピンを上記テーブル姿勢形成溝に配置して、上記ストッパー部材による支持を受けて上記テーブル姿勢に保持されると共に、上記回転ピンを上記収納姿勢形成溝に配置して、上記ストッパー部材による支持を受けて上記収納姿勢に保持され、かつ上記回転ピンを上記仮置き姿勢形成溝に配置して、上記ストッパー部材による支持を受けて上記仮置き姿勢に保持されるよう構成してあり、
上記操作レバーを操作して上記回転ピンを上記各形成溝から外し、上記回転ピンを上記経路形成接触面に対して転がり接触させることによって、上記テーブル部を上記各姿勢に変更することができるよう構成したことを特徴とする折畳みテーブル。
【請求項２】
請求項１において、上記ストッパー部材と上記テーブル姿勢形成溝とは、当該ストッパー部材の上記回転ピンが当該テーブル姿勢形成溝の上端面に接触する状態に形成してあり、
上記テーブル姿勢形成溝の上側面は、上記ストッパー部材が回動する際に上記回転ピンの最も内周側の位置によって仮想的に描かれる軌跡を回動軌跡としたとき、当該テーブル姿勢形成溝の開口側に位置する部分が、上記回動軌跡よりも内側に位置し、当該テーブル姿勢形成溝の奥側に位置する部分が、上記回動軌跡よりも外側に位置する状態で形成してあることを特徴とする折畳みテーブル。
【請求項３】
請求項１又は２において、上記仮置き姿勢形成溝は、その開口側からその奥側に向けて幅が縮小する形状に形成してあり、その奥側に位置する部分は、上記回転ピンの直径よりも小さい幅になるまで縮小していることを特徴とする折畳みテーブル。
【発明の詳細な説明】
【技術分野】
【０００１】
本発明は、テーブル部を水平な姿勢から起立する姿勢に変更して、積み重ねて保管が可能な折畳みテーブルに関する。
【背景技術】
【０００２】
従来より、例えば会議室等において使用するテーブルとして、折畳みテーブルがある。この折畳みテーブルは、テーブル部（天板部）を水平な姿勢にして使用する一方、使用しないときには、テーブル部を起立する姿勢に回動させ、他の折畳みテーブルと積み重ねて保管することができるものである。これにより、テーブルの未使用時には、その保管スペースを大幅に縮小することができる。
【０００３】
このような折畳みテーブルの基本的な構造は、例えば、特許文献１のフラップテーブルに開示されている。このフラップテーブルにおいては、天板の裏面の左右に天板受金具を設けると共に、天板を支える支脚に連結した水平杆に支持金具を設け、天板受金具と支持金具とを水平回転軸により回転可能に連結することにより、天板を水平姿勢と起立姿勢とに起倒するよう構成している。また、天板受金具には、コイルスプリングによって付勢されるロック金具を設けており、このロック金具を支持金具に形成した第１ロック溝に嵌合したときには上記水平姿勢にし、このロック金具を支持金具に形成した第２ロック溝に嵌合したときには上記起立姿勢を形成している。
【０００４】
また、特許文献２の脚折れテーブルにおいても同様の基本的構造が開示されている。すなわち、この脚折れテーブルにおいては、テーブルに天板側連結片を設けると共に、テーブルを支える支柱に支柱側連結片を設け、天板側連結片に対して回動可能に設けたストッパーレバーの係止片を、支柱側連結片に設けた２つの係止溝に係止することにより、天板を水平状態と起立状態とに保持するよう構成している。また、ストッパーレバーには、手動操作可能な操作レバーが設けてあり、作業者は、操作レバーを操作することによって、２つの係止溝に対するストッパーレバーの係止片の係止状態を解除することができる。
【０００５】
しかしながら、上記特許文献１、２の基本的構造に代表される従来の折畳みテーブルの構造においては、テーブル部（天板又はテーブル等）の姿勢（又は状態）を変更する際には、テーブル部を２つの姿勢でしか止めることができない。また、特許文献２においては、テーブルの状態を変更する際には、作業者が常に操作レバーを持っている必要があり、作業者が変更作業する際の作業性に優れない。一方、特許文献１においては、リモートコントロールによって動作するロック解除駆動機構とガススプリングとを用いることによって作業性を改善しているが、これらの使用によりテーブルの構造が複雑になる。
さらに、特許文献１、２においては、天板又はテーブルの姿勢を変更するごとに、ロック金具（ストッパーレバー）と支持金具（支柱側連結片）とが衝突し擦れ合うため、これらの摩耗が激しくなる。また、上記衝突する際の衝撃を緩和するためには、更なる工夫が必要とされる。
【０００６】
【特許文献１】特開２００６−１４９７３号公報
【特許文献２】特開２００６−３０４９４５公報
【発明の開示】
【発明が解決しようとする課題】
【０００７】
本発明は、かかる従来の問題点に鑑みてなされたもので、簡単な機械的構成によって、テーブル部の姿勢を変更する際の作業性を向上させることができ、その耐久性も向上させることができる折畳みテーブルを提供しようとするものである。
【課題を解決するための手段】
【０００８】
本発明は、テーブル部と該テーブル部を支える脚部とを有し、上記テーブル部が、使用時の水平な姿勢であるテーブル姿勢と、収納時の起立する姿勢に折り畳んだ収納姿勢とに変更可能である折畳みテーブルにおいて、
上記脚部は、上記テーブル部と連結する部分に連結部材を有しており、
上記テーブル部は、上記連結部材に設けた回動支点部を中心に回動して、上記テーブル姿勢及び上記収納姿勢に変更可能であると共に、該テーブル姿勢と該収納姿勢との中間の姿勢である仮置き姿勢に保持可能であり、
上記テーブル部には、上記連結部材に係合するストッパー部材が回動可能に設けてあり、該ストッパー部材には、自ら回転して上記連結部材に対して転がり接触可能な回転ピンと、上記テーブル部に当接して上記回転ピンが上記連結部材に対して接触する方向に当該ストッパー部材を付勢する付勢部材と、手動操作可能な操作レバーとが設けてあり、
上記連結部材には、上記テーブル部の姿勢を変更する際に、上記回転ピンを転がり接触させながら移動させることが可能な経路形成接触面が形成してあり、
該経路形成接触面には、上記テーブル部が上記テーブル姿勢を形成する際に上記回転ピンが配置されるテーブル姿勢形成溝と、該テーブル姿勢形成溝の形成位置よりも上側に位置し、上記テーブル部が上記収納姿勢を形成する際に上記回転ピンが配置される収納姿勢形成溝と、該収納姿勢形成溝の形成位置と上記テーブル姿勢形成溝の形成位置との間に位置し、上記テーブル部が上記仮置き姿勢を形成する際に上記回転ピンが配置される仮置き姿勢形成溝とが切欠状に形成してあり、
上記テーブル部は、上記回転ピンを上記テーブル姿勢形成溝に配置して、上記ストッパー部材による支持を受けて上記テーブル姿勢に保持されると共に、上記回転ピンを上記収納姿勢形成溝に配置して、上記ストッパー部材による支持を受けて上記収納姿勢に保持され、かつ上記回転ピンを上記仮置き姿勢形成溝に配置して、上記ストッパー部材による支持を受けて上記仮置き姿勢に保持されるよう構成してあり、
上記操作レバーを操作して上記回転ピンを上記各形成溝から外し、上記回転ピンを上記経路形成接触面に対して転がり接触させることによって、上記テーブル部を上記各姿勢に変更することができるよう構成したことを特徴とする折畳みテーブルにある（請求項１）。
【０００９】
本発明の折畳みテーブルは、テーブル部の姿勢を変更するための構造に工夫を行っている。
具体的には、本発明においては、テーブル部を、テーブル姿勢と収納姿勢との中間の姿勢である仮置き姿勢にも保持可能にしている。また、テーブル部に回動可能に設けたストッパー部材には、自ら回転可能な回転ピンを設け、脚部に設けた連結部材には、回転ピンを転がり接触させながら移動させることができる経路形成接触面を形成している。そして、経路形成接触面には、テーブル部を３つの姿勢に保持するために、３つの形成溝を形成している。
【００１０】
本発明の折畳みテーブルを、テーブルとして使用する際には、回転ピンをテーブル姿勢形成溝に配置して、ストッパー部材による支持を受けて、テーブル部をテーブル姿勢に保持する。このとき、連結部材の一部をテーブル部に当接させることにより、テーブル部をテーブル姿勢に安定して保持することができる。
そして、テーブル部をテーブル姿勢から収納姿勢に変更する際には、作業者は、操作レバーを手動操作し、付勢部材による付勢力に抗してストッパー部材を回動させる。このとき、ストッパー部材に設けた回転ピンがテーブル姿勢形成溝から外れ、作業者は、回動支点部を中心にしてテーブル部を回動させることができる。次いで、作業者がテーブル部を回動させる際に操作レバーを離すと、付勢部材の付勢力を受けてストッパー部材が付勢され、ストッパー部材の回転ピンが経路形成接触面に接触する。
【００１１】
そして、回転ピンが経路形成接触面におけるテーブル姿勢形成溝と仮置き姿勢形成溝との間の接触面部分に接触したときには、この接触面部分に回転ピンを転がり接触させながらテーブル部を仮置き姿勢になるまで回動させる。そして、回転ピンが仮置き姿勢形成溝に配置され、ストッパー部材による支持を受けて、テーブル部を仮置き姿勢に一旦保持することができる。これにより、作業者は、回転ピンがテーブル姿勢形成溝から外されるまで操作レバーを操作するだけで、テーブル部を回動させることができ、容易にテーブル部の姿勢を変更することができる。そのため、作業者の作業性を向上させることができる。
このように、テーブル部を仮置き姿勢に一旦保持することにより、テーブル部が衝撃を伴って一気に収納姿勢まで回動してしまうことを防止することができる。
【００１２】
次いで、テーブル部を仮置き姿勢から収納姿勢に変更するために、作業者は、操作レバーを再び手動操作し、付勢部材による付勢力に抗してストッパー部材を回動させる。このとき、ストッパー部材に設けた回転ピンが仮置き姿勢形成溝から外れ、作業者は、回動支点部を中心にしてテーブル部を回動させることができる。そして、作業者がテーブル部を回動させる際に操作レバーを離すと、付勢部材の付勢力を受けてストッパー部材が付勢され、ストッパー部材の回転ピンが経路形成接触面に接触する。
【００１３】
そして、回転ピンが経路形成接触面における仮置き姿勢形成溝と収納姿勢形成溝との間の接触面部分に接触したときには、この接触面部分に回転ピンを転がり接触させながらテーブル部を収納姿勢になるまで回動させる。そして、回転ピンが収納姿勢形成溝に配置され、ストッパー部材による支持を受けて、テーブル部を収納姿勢に保持することができる。これにより、作業者は、回転ピンが仮置き姿勢形成溝から外されるまで操作レバーを操作するだけで、テーブル部を回動させることができ、容易にテーブル部の姿勢を変更することができる。そのため、作業者の作業性を向上させることができる。
【００１４】
なお、テーブルを回動させる際に、作業者が操作レバーを操作したままにすることにより、テーブル部をテーブル姿勢から収納姿勢まで一気に回動させることも可能である。
また、テーブル部を収納姿勢からテーブル姿勢に変更する際には、作業者は、上記テーブル姿勢から収納姿勢に変更した場合と同様に操作することにより、容易にテーブル部の姿勢を変更することができ、上記の場合と同様の作用効果を得ることができる。
【００１５】
このように、本発明の折畳みテーブルにおいては、アクチュエータ等の制御部品を用いておらず、簡単な機械的構成によって、テーブル部の姿勢を変更する際の作業性を向上させることができる。
また、テーブル部を仮置き姿勢に一旦保持することができる構成にしたことにより、テーブル部が、衝撃を伴って一気にテーブル姿勢と収納姿勢との間で回動してしまうことを防止することができる。さらに、ストッパー部材は、回転ピンの転がり接触を利用して連結部材に係合することができ、回転ピンと連結部材との間に摩耗が生じることを抑制することができる。
【００１６】
それ故、本発明の折畳みテーブルによれば、簡単な機械的構成によって、テーブル部の姿勢を変更する際の作業性を向上させることができ、その耐久性も向上させることができる。
【発明を実施するための最良の形態】
【００１７】
上述した本発明における好ましい実施の形態につき説明する。
本発明において、上記ストッパー部材と上記テーブル姿勢形成溝とは、当該ストッパー部材の上記回転ピンが当該テーブル姿勢形成溝の上端面に接触する状態に形成してあり、上記テーブル姿勢形成溝の上側面は、上記ストッパー部材が回動する際に上記回転ピンの最も内周側の位置によって仮想的に描かれる軌跡を回動軌跡としたとき、当該テーブル姿勢形成溝の開口側に位置する部分が、上記回動軌跡よりも内側に位置し、当該テーブル姿勢形成溝の奥側に位置する部分が、上記回動軌跡よりも外側に位置する状態で形成してあることが好ましい（請求項２）。
この場合には、回転ピンを、経路形成接触面とテーブル姿勢形成溝との間で連続して転がり接触させることができ、回転ピンが、テーブル姿勢形成溝の底部（最も奥側の部分）に衝撃を伴って面接触することを防止することができる。これにより、テーブル部の姿勢を変更することが一層容易であり、回転ピンと連結部材の経路形成接触面との間に摩耗が生じることをより効果的に抑制することができる。
【００１８】
また、上記仮置き姿勢形成溝は、その開口側からその奥側に向けて幅が縮小する形状に形成してあり、その奥側に位置する部分は、上記回転ピンの直径よりも小さい幅になるまで縮小していることが好ましい（請求項３）。
この場合には、回転ピンが、仮置き姿勢形成溝の底部（最も奥側の部分）に衝撃を伴って面接触することを防止することができる。これにより、回転ピンと連結部材の経路形成接触面との間に摩耗が生じることをより効果的に抑制することができる。
【実施例】
【００１９】
以下に、本発明の折畳みテーブルにかかる実施例につき、図面を参照して説明する。
本例の折畳みテーブル１は、図１〜図３に示すごとく、テーブル部２とテーブル部２を支える脚部３とを有し、テーブル部２を、使用時の水平な姿勢であるテーブル姿勢２０１と、収納時の起立する姿勢に折り畳んだ収納姿勢２０２とに変更可能である。図４〜図６に示すごとく、脚部３は、テーブル部２と連結する部分に連結部材４を有しており、テーブル部２は、連結部材４に設けた回動支点部４１を中心に回動して、テーブル姿勢２０１及び収納姿勢２０２に変更可能であると共に、テーブル姿勢２０１と収納姿勢２０２との中間の姿勢である仮置き姿勢２０３に保持可能である。
【００２０】
図４に示すごとく、テーブル部２には、連結部材４に係合するストッパー部材５が回動可能に設けてあり、ストッパー部材５には、自ら回転して連結部材４に対して転がり接触可能な回転ピン５１と、テーブル部２に当接して回転ピン５１が連結部材４に対して接触する方向に当該ストッパー部材５を付勢する付勢部材５２と、手動操作可能な操作レバー６とが設けてある。連結部材４には、テーブル部２の姿勢を変更する際に、回転ピン５１を転がり接触させながら移動させることが可能な経路形成接触面４０が形成してある。
【００２１】
図９に示すごとく、経路形成接触面４０には、テーブル部２がテーブル姿勢２０１を形成する際に回転ピン５１が配置されるテーブル姿勢形成溝４０１と、テーブル部２が収納姿勢２０２を形成する際に回転ピン５１が配置される収納姿勢形成溝４０２と、テーブル部２が仮置き姿勢２０３を形成する際に回転ピン５１が配置される仮置き姿勢形成溝４０３とが切欠状に形成してある。収納姿勢形成溝４０２は、テーブル姿勢形成溝４０１の形成位置よりも上側の位置に形成されており、仮置き姿勢形成溝４０３は、収納姿勢形成溝４０２の形成位置とテーブル姿勢形成溝４０１の形成位置との中間位置に形成されている。
【００２２】
テーブル部２は、図４に示すごとく、回転ピン５１をテーブル姿勢形成溝４０１に配置して、ストッパー部材５による支持を受けてテーブル姿勢２０１に保持されると共に、図５に示すごとく、回転ピン５１を収納姿勢形成溝４０２に配置して、ストッパー部材５による支持を受けて収納姿勢２０２に保持され、かつ、図６に示すごとく、回転ピン５１を仮置き姿勢形成溝４０３に配置して、ストッパー部材５による支持を受けて仮置き姿勢２０３に保持されるよう構成してある。
そして、折畳みテーブル１は、操作レバー６を操作して回転ピン５１を各形成溝４０１、４０２、４０３から外し、回転ピン５１を経路形成接触面４０に対して転がり接触させることによって、テーブル部２を、テーブル姿勢２０１、収納姿勢２０２及び仮置き姿勢２０３の各姿勢に変更することができるよう構成してある。
【００２３】
以下に、本例の折畳みテーブル１につき、図１〜図９を参照して詳説する。
本例の折畳みテーブル１は、他の同じ構造の折畳みテーブル１に対して水平方向に重ねて収納することができる平行スタックテーブルである。
本例においては、テーブルの使用時に、使用者が対向する側を後側といい、反対側を前側という。
【００２４】
図１に示すごとく、折畳みテーブル１は、テーブル部２の前側部分の下部に、垂下して配置する幕板２１を有している。この幕板２１は、その上端部をテーブル部２の前側部分の下部に回動可能に取り付け、その下端部を、連結部材２１１を介して脚部３に取り付けている。そして、図２に示すごとく、幕板２１は、テーブル部２を収納姿勢２０２にしたときには、脚部３に対して略平行に収納される。
【００２５】
図１、図３に示すごとく、脚部３は、テーブル部２の左右に一対に設けてあり、テーブル部２の前後方向の中間位置に連結されている。左右の脚部３は、前側のキャスタ３５を取り付ける前側部材３１と、後側のキャスタ３５を取り付ける後側部材３２とを接合して形成されている。前側部材３１は、テーブル部２の前後方向の中間位置から、斜め下方の前方へ傾斜して設けられており、後側部材３２は、上側部分において前側部材３１の左右方向に重なると共に、下側部分が斜め下方の後方へ屈曲して設けられている。
左右の脚部３は、水平方向に設けた補強部材４２によって連結されている。本例の脚部３を構成する前側部材３１及び後側部材３２と、補強部材４２とは、角パイプによって形成されている。
【００２６】
図４、図７に示すごとく、上記回動支点部４１、経路形成接触面４０及び３つの形成溝４０１、４０２、４０３は、連結部材４の上側部分に形成されており、連結部材４の下側部分には、補強部材４２が接合されている。
本例においては、図８に示すごとく、左右の脚部３と、連結部材４を接合した補強部材４２との組付作業性を向上させるための工夫を行っている。すなわち、脚部３における左右方向の内側部分には、脚部３補強用の当て板３３を設け、この当て板３３に設けた凹凸３３１と、連結部材４に設けた凹凸４４とを嵌合させて、脚部３と補強部材４２との位置決めを行い、脚部３における左右方向の外側部分から連結部材４に対して、ボルト３４を螺合することにより、左右の脚部３と連結部材４を接合した補強部材４２とを組み付けている。これにより、組付作業を行う作業者は、脚部３の左右方向における外側からボルト３４の締付けを行うことができ、広いスペースを利用して容易に締付け作業を行うことができる。
【００２７】
図２に示すごとく、本例のテーブル部２は、回動支点部４１を中心にして前側部分が下方に回動する状態で、上記収納姿勢２０２を形成し、収納姿勢２０２においては、テーブル部２の前側部分が脚部３の上側部分に平行に配置される。
また、図４、図９に示すごとく、連結部材４の上端部には、テーブル姿勢２０１を形成する際のテーブル部２の下面に当接する当接受部４３が水平方向に形成されている。経路形成接触面４０及び３つの形成溝４０１、４０２、４０３は、連結部材４の上側部分における後方側に形成されている。
【００２８】
図３、図７に示すごとく、本例のストッパー部材５は、各連結部材４に対応して左右に設けてあり、連結部材４に対する後方側に設けてある。図４〜図６に示すごとく、テーブル部２の下面には、裏補強材２２が設けてあり、ストッパー部材５は、付勢部材５２による付勢力を受けて、裏補強材２２に設けたストッパー用回動支点部２２１を中心に回動して、回転ピン５１を連結部材４の経路形成接触面４０及び３つの形成溝４０１、４０２、４０３に接触させるよう構成されている。
【００２９】
同図に示すごとく、本例の付勢部材５２は、ストッパー用回動支点部２２１に配置したトーションバネ（ねじりコイルバネ）からなり、トーションバネの一方の端部をテーブル部２に、他方の端部をストッパー部材５に係止して、ストッパー部材５を連結部材４に接触する方向に付勢している。
本例の回転ピン５１は、ストッパー部材５に設けた貫通穴５０に挿入したピン部材であり、貫通穴５０に対して回転することができるように簡単に形成されたものである。また、ストッパー部材５は、一対の板面部を互いに対向させた状態で連結部によって連結した断面コ字状を有しており、回転ピン５１は、一対の板面部に両持ち状態で支持されている。なお、回転ピン５１は、カムフォロア等のローラによって形成することもできる。
【００３０】
図１、図３、図７に示すごとく、左右のストッパー部材５には、水平方向に設けたレバー用軸部６１が連結されており、レバー用軸部６１の左右の端部には、それぞれ操作レバー６が設けてある。そして、左右のいずれか一方の操作レバー６を手動操作することにより、レバー用軸部６１を介して左右のストッパー部材５を回動させることができるようになっている。
なお、左右の連結部材４の上側部分及び左右のストッパー部材５には、操作レバー６が左右方向の外側に露出する状態で、カバー２５が被せられる。
【００３１】
図９に示すごとく、ストッパー部材５とテーブル姿勢形成溝４０１とは、ストッパー部材５の回転ピン５１がテーブル姿勢形成溝４０１の上端面に接触する状態に形成してある。回転ピン５１は、テーブル姿勢形成溝４０１の下端面との間には隙間Ｓを形成して移動するようになっている。テーブル姿勢形成溝４０１の上側面は、ストッパー部材５が回動する際に回転ピン５１の最も内周側の位置によって仮想的に描かれる軌跡を回動軌跡Ｘとしたとき、テーブル姿勢形成溝４０１の開口側に位置する部分４０１Ａが、回動軌跡Ｘよりも内側に位置し、テーブル姿勢形成溝４０１の奥側に位置する部分４０１Ｂが、回動軌跡Ｘよりも外側に位置する状態で形成してある。これにより、回転ピン５１を、経路形成接触面４０とテーブル姿勢形成溝４０１との間で連続して転がり接触させることができ、回転ピン５１が、テーブル姿勢形成溝４０１の底部（最も奥側の部分）に衝撃を伴って面接触することを防止することができる。
【００３２】
同図に示すごとく、収納姿勢形成溝４０２は、連結部材４の上端部において、回転ピン５１を係止するための円弧状の凹部によって形成されている。
仮置き姿勢形成溝４０３は、その開口側からその奥側に向けて幅が縮小する形状に形成してあり、その奥側に位置する部分４０３Ｂが、回転ピン５１の直径よりも小さい幅になるまで縮小している。これにより、回転ピン５１を、仮置き姿勢形成溝４０３の両側の２点によって支持することができ、回転ピン５１が、仮置き姿勢形成溝４０３の底部（最も奥側の部分）に衝撃を伴って面接触することを防止することができる。
また、テーブル姿勢形成溝４０１と仮置き姿勢形成溝４０３との間、及び仮置き姿勢形成溝４０３と収納姿勢形成溝４０２との間に形成された経路形成接触面４０は、回転ピン５１を滑らかに移動させるために、凸状の曲面によって形成されている。
【００３３】
次に、本例の折畳みテーブル１の使用時及び収納時（本例ではスタック時）に、テーブル部２の姿勢を変更する動作について説明する。
本例の折畳みテーブル１を、テーブルとして使用する際には、図１、図４に示すごとく、回転ピン５１をテーブル姿勢形成溝４０１に配置して、ストッパー部材５による支持を受けて、テーブル部２をテーブル姿勢２０１に保持する。このとき、連結部材４の当接受部４３をテーブル部２に当接させ、当接受部４３によってテーブルの荷重を受けることにより、テーブル部２をテーブル姿勢２０１に安定して保持することができる。
【００３４】
テーブル部２をテーブル姿勢２０１から収納姿勢２０２に変更する際には、作業者は、操作レバー６を手動操作し、付勢部材５２による付勢力に抗してストッパー部材５を回動させる。このとき、ストッパー部材５に設けた回転ピン５１がテーブル姿勢形成溝４０１から外れ、作業者は、回動支点部４１を中心にしてテーブル部２を回動させることができる。次いで、作業者がテーブル部２を回動させる際に操作レバー６を離すと、付勢部材５２の付勢力を受けてストッパー部材５が付勢され、図９に示すごとく、ストッパー部材５の回転ピン５１（同図において５１Ａで示す。）が経路形成接触面４０に接触する。
【００３５】
そして、回転ピン５１Ａが経路形成接触面４０におけるテーブル姿勢形成溝４０１と仮置き姿勢形成溝４０３との間の接触面部分４０Ａに接触したときには、この接触面部分４０Ａに回転ピン５１Ａを転がり接触させながらテーブル部２を仮置き姿勢２０３になるまで回動させる。そして、図５に示すごとく、回転ピン５１が仮置き姿勢形成溝４０３に配置され、ストッパー部材５による支持を受けて、テーブル部２を仮置き姿勢２０３に一旦保持することができる。これにより、作業者は、回転ピン５１がテーブル姿勢形成溝４０１から外されるまで操作レバー６を操作するだけで、テーブル部２を回動させることができ、容易にテーブル部２の姿勢を変更することができる。そのため、作業者の作業性を向上させることができる。
このように、テーブル部２を仮置き姿勢２０３に一旦保持することにより、テーブル部２が衝撃を伴って一気に収納姿勢２０２まで回動してしまうことを防止することができる。
【００３６】
次いで、テーブル部２を仮置き姿勢２０３から収納姿勢２０２に変更するために、作業者は、操作レバー６を再び手動操作し、付勢部材５２による付勢力に抗してストッパー部材５を回動させる。このとき、ストッパー部材５に設けた回転ピン５１が仮置き姿勢形成溝４０３から外れ、作業者は、回動支点部４１を中心にしてテーブル部２を回動させることができる。そして、作業者がテーブル部２を回動させる際に操作レバー６を離すと、付勢部材５２の付勢力を受けてストッパー部材５が付勢され、図９に示すごとく、ストッパー部材５の回転ピン５１（同図において５１Ｂで示す。）が経路形成接触面４０に接触する。
【００３７】
そして、回転ピン５１が経路形成接触面４０における仮置き姿勢形成溝４０３と収納姿勢形成溝４０２との間の接触面部分４０Ｂに接触したときには、この接触面部分４０Ｂに回転ピン５１を転がり接触させながらテーブル部２を収納姿勢２０２になるまで回動させる。そして、図６に示すごとく、回転ピン５１が収納姿勢形成溝４０２に配置され、ストッパー部材５による支持を受けて、テーブル部２を収納姿勢２０２に保持することができる。これにより、作業者は、回転ピン５１が仮置き姿勢形成溝４０３から外されるまで操作レバー６を操作するだけで、テーブル部２を回動させることができ、容易にテーブル部２の姿勢を変更することができる。そのため、作業者の作業性を向上させることができる。
【００３８】
一方、テーブル部２を収納姿勢２０２からテーブル姿勢２０１に変更する際には、作業者は、テーブル部２を、収納姿勢２０２から仮置き姿勢２０３に一旦変更した後、仮置き姿勢２０３からテーブル姿勢２０１に変更することができる。これにより、テーブル部２を収納姿勢２０２からテーブル姿勢２０１に変更する際には、自重によってテーブル部２が一気に回動しようとするものの、仮置き姿勢形成溝４０３に回転ピン５１を配置して、テーブル部２を仮置き姿勢２０３に一旦保持することにより、テーブル部２に生ずる衝撃を抑えることができる。
【００３９】
また、テーブル部２がテーブル姿勢２０１まで回動し、回転ピン５１がテーブル姿勢形成溝４０１に配置されるときには、回転ピン５１がテーブル姿勢形成溝４０１の底部に衝突することを防止することができる。その他、テーブル部２を収納姿勢２０２からテーブル姿勢２０１に変更する際にも、テーブル部２をテーブル姿勢２０１から収納姿勢２０２に変更する場合と同様の作用効果を得ることができる。
なお、テーブルを回動させる際に、作業者が操作レバー６を操作したまま（持ったまま）にすることにより、テーブル部２を、仮置き姿勢２０３を経由せずに、テーブル姿勢２０１と収納姿勢２０２との間で一気に回動させることも可能である。
【００４０】
このように、本例の折畳みテーブル１においては、アクチュエータ等の制御部品を用いておらず、簡単な機械的構成によって、テーブル部２の姿勢を変更する際の作業性を向上させることができる。
また、テーブル部２を仮置き姿勢２０３に一旦保持することができる構成にしたことにより、テーブル部２が、衝撃を伴って一気にテーブル姿勢２０１と収納姿勢２０２との間で回動してしまうことを防止することができる。さらに、ストッパー部材５は、回転ピン５１の転がり接触を利用して連結部材４に係合することができ、回転ピン５１と連結部材４との間に摩耗が生じることを抑制することができる。
【００４１】
それ故、本例の折畳みテーブル１によれば、簡単な機械的構成によって、テーブル部２の姿勢を変更する際の作業性を向上させることができ、その耐久性も向上させることができる。
【図面の簡単な説明】
【００４２】
【図１】実施例における、テーブル部がテーブル姿勢にある状態の折畳みテーブルを示す側面図。
【図２】実施例における、テーブル部が収納姿勢にある状態の折畳みテーブルを示す側面図。
【図３】実施例における、テーブル部がテーブル姿勢にある状態の折畳みテーブルを示す正面図。
【図４】実施例における、テーブル部がテーブル姿勢にある状態の折畳みテーブルの要部を側方から見た状態で示す説明図。
【図５】実施例における、テーブル部が仮置き姿勢にある状態の折畳みテーブルの要部を側方から見た状態で示す説明図。
【図６】実施例における、テーブル部が収納姿勢にある状態の折畳みテーブルの要部を側方から見た状態で示す説明図。
【図７】実施例における、テーブル部がテーブル姿勢にある状態の折畳みテーブルの要部を示す正面図。
【図８】実施例における、連結部材の周辺を正面から見た状態で示す断面説明図。
【図９】実施例における、テーブル部が３つの姿勢にあるときの連結部材の経路形成接触面の周辺を拡大して示す説明図。
【符号の説明】
【００４３】
１  折畳みテーブル
２  テーブル部
２０１  テーブル姿勢
２０２  収納姿勢
２０３  仮置き姿勢
３  脚部
４  連結部材
４０  経路形成接触面
４０１  テーブル姿勢形成溝
４０２  収納姿勢形成溝
４０３  仮置き姿勢形成溝
４１  回動支点部
５  ストッパー部材
５１  回転ピン
５２  付勢部材
６  操作レバー
Ｘ  回動軌跡
【図１】
2009148367.tif 000003
【図２】
2009148367.tif 000004
【図３】
2009148367.tif 000005
【図４】
2009148367.tif 000006
【図５】
2009148367.tif 000007
【図６】
2009148367.tif 000008
【図７】
2009148367.tif 000009
【図８】
2009148367.tif 000010
【図９】
2009148367.tif 000011